(57)【要約】【課題】直接接続されていない外部機器でも、その設定画面画像を現在表示中の画像を妨げず且つ煩雑な操作を行わずに表示する表示装置を提供する。【解決手段】表示装置（テレビ装置１で例示）は、ＨＤＭＩ入力端子を備え、外部機器（レコーダ３，４、プレーヤ５で例示）がＨＤＭＩケーブルによってＨＤＭＩ入力端子に、直接接続可能で且つ中継外部機器（ＡＶアンプ２で例示）を介しても接続可能とする。テレビ装置１は、複数の入力ソースからの入力画像のそれぞれを同時に画面で表示する制御を行う複数画面表示制御手段と、外部機器からＣＥＣコマンドを使用して送信された、外部機器の設定画面画像を出力することを示す所定の画面開始コマンドを検出するコマンド検出手段とを備える。複数画面表示制御手段は、コマンド検出手段で画面開始コマンドを検出した場合、その外部機器から出力された設定画面画像をサブ画面で追加表示する制御を行う。【選択図】図２
2008109342.tif 000002
【特許請求の範囲】
【請求項１】
ＨＤＭＩ入力端子を備え、ＨＤＭＩ出力端子を備えた外部機器がＨＤＭＩケーブルによって前記ＨＤＭＩ入力端子に、直接接続可能で且つＨＤＭＩ入出力端子を備えた中継外部機器を介しても接続可能な表示装置であって、複数の入力ソースから入力された画像のそれぞれを同時に画面で表示する制御を行う複数画面表示制御手段と、当該表示装置に接続された前記外部機器から、ＨＤＭＩ規格に基づくＣＥＣコマンドを使用して送信された、前記外部機器の設定画面画像を出力することを示す所定の画面開始コマンドを検出するコマンド検出手段とを備え、前記複数画面表示制御手段は、前記コマンド検出手段で前記画面開始コマンドを検出した場合、前記外部機器から出力された設定画面画像をサブ画面で追加表示する制御を行うことを特徴とする表示装置。
【請求項２】
請求項１に記載の表示装置において、前記複数画面表示制御手段における前記サブ画面の追加表示の制御又は前記コマンド検出手段における前記画面開始コマンドの検出は、当該表示装置本体及び／又は他の外部機器からの画像が画面表示されていた場合のみ実行されることを特徴とする表示装置。
【請求項３】
請求項１に記載の表示装置において、前記複数画面表示制御手段は、前記コマンド検出手段で前記画面開始コマンドを検出したとき、当該表示装置本体及び他の外部機器のいずれからも画像が表示されていなかった場合には、前記設定画面画像を前記サブ画面で追加表示する代わりにメイン画面で表示する制御を行うことを特徴とする表示装置。
【請求項４】
請求項１又は２に記載の表示装置において、前記複数画面表示制御手段は、前記コマンド検出手段で前記画面開始コマンドを検出したとき、当該表示装置本体又は他の外部機器からの画像が元々サブ画面で表示されていた場合には、前記設定画面画像を前記サブ画面で追加表示する代わりに前記元々表示されたサブ画面で表示する制御を行うことを特徴とする表示装置。
【請求項５】
請求項１乃至４のいずれか１項に記載の表示装置において、前記コマンド検出手段は、前記外部機器から前記設定画面画像の出力を終了することを示す画面終了コマンドを検出する手段を有し、前記複数画面表示制御手段は、前記コマンド検出手段で前記画面終了コマンドを検出した場合、前記設定画面画像の画面表示を終了して、元の状態に戻す制御を行うことを特徴とする表示装置。
【請求項６】
請求項４に記載の表示装置において、前記コマンド検出手段は、前記外部機器から前記設定画面画像の出力を終了することを示す画面終了コマンドを検出する手段を有し、前記複数画面表示制御手段は、前記コマンド検出手段で前記画面終了コマンドを検出した場合、前記設定画面画像のサブ画面表示自体を終了する制御を行うことを特徴とする表示装置。
【請求項７】
請求項１乃至６のいずれか１項に記載の表示装置において、前記設定画面画像は、処理一覧画面、予約設定画面、予約リスト確認画面、録画リスト確認画面のいずれかの画像であることを特徴とする表示装置。
【請求項８】
請求項５又は６に記載の表示装置において、前記設定画面画像は、録画リスト確認画面の画像であり、前記複数画面表示制御手段は、前記画面終了コマンドが映像表示開始を示すコマンドであった場合、前記設定画面画像の表示画面にそのまま前記外部機器からの映像を表示する制御を行うことを特徴とする表示装置。
【請求項９】
請求項５又は６に記載の表示装置において、前記設定画面画像は、録画リスト確認画面の画像であり、前記複数画面表示制御手段は、前記画面終了コマンドが映像表示開始を示すコマンドであった場合、前記設定画面画像の画面表示を終了し、前記外部機器からの映像をメイン画面に表示する制御を行うことを特徴とする表示装置。
【請求項１０】
請求項１乃至９のいずれか１項に記載の表示装置を備えた表示システムであって、前記外部機器又は前記外部機器及び中継外部機器を備え、前記表示装置は、前記外部機器に直接接続されるか、或いは前記外部機器に前記中継外部機器を介して接続されることを特徴とする表示システム。
【発明の詳細な説明】
【技術分野】
【０００１】
本発明は、表示装置及び表示システム、より詳細には、ＨＤＭＩ（High Definition Multimedia Interface）によるデジタルインタフェースにより録画装置などの外部機器と接続可能な表示装置、及びその装置を備えた表示システムに関する。
【背景技術】
【０００２】
従来から、録画装置で録画予約をするためには、録画装置本体の表示窓を確認しながら行うか、或いは、その録画装置に接続されたテレビジョン受像機（テレビ装置）やモニタ等の表示装置に電子番組表（ＥＰＧ）をはじめとする予約録画メニューを表示し、その表示を確認しながら行う。前者の場合には表示窓が細かくまたＥＰＧ表示も行うスペースもないことから録画予約を行い難い。また、後者の場合には次のような面倒な操作が必要となる。
【０００３】
すなわち、表示装置に予約録画メニューを表示するに際し、表示装置本体で受信した放送の映像やその表示装置に接続された別のＡＶ機器からの入力された映像を表示していることが多い。そして、そのような場合には、表示装置における現在の視聴状態を中断して、画面の表示対象の入力ソースを録画装置に切り換えて、その切り換えた画面を見ながら録画予約を行う必要がある。さらに、このような録画予約操作を完了した後も、画面の表示対象の入力ソースを元の入力ソースに再度切り換えて、もとの視聴状態に戻す必要がある。
【０００４】
このような面倒な操作を避けるための技術も開示されている（例えば、特許文献１を参照）。特許文献１に記載のテレビ装置では、磁気記録再生装置（ＶＴＲ）内のＧコード予約モード信号生成回路及びＧコード予約画面生成回路から供給されるＧコード予約モード信号及びＧコード予約画面信号を入力し、その入力されたＧコード予約モード信号に基づいて、Ｇコード予約画面信号とＲＦ受信回路からのＴＶ映像信号とを合成して２画面の映像信号を生成する２画面生成回路を設けている。これにより、ＶＴＲリモコンによりＧコード予約を指示した時に、テレビ装置が自動的に２画面モードになって一方の画面にはＧコード予約画面を、片方の画面にはＴＶ映像を映し出して、視聴しているＴＶ映像を中断することなく録画予約又は録画予約の確認をすることができる。
【０００５】
また、特許文献２には、親画面内子画面表示機能（ピクチャ・イン・ピクチャ、ＰＩＰ）を有する番組予約が可能なテレビ装置において、親画面に表示されている番組の鑑賞が妨げられることを防ぐとともに、ユーザが所望の番組を選択して画面に表示させる際にスムーズで快適な操作を可能にするための技術が開示されている。このテレビ装置では、子画面をアイコンに変化させて画面より消去する機能と、アイコン化された番組と親画面に表示されている番組とを交換する機能と、アイコン化された番組を子画面に表示する機能とを有する。
【０００６】
ところで、近年、コンピュータ本体とディスプレイとの間で、デジタル化された映像信号を高速に伝送するためのインタフェースとして、ＤＶＩ（Digital Visual Interface）規格が用いられている。また、このＤＶＩ規格をさらに発展させたデジタル接続規格であるＨＤＭＩ規格も用いられている。このＨＤＭＩ規格は、ＴＶ放送デジタル化、表示デバイスの平面パネルへの切り換えといった変化に対応して、家庭内においてＳＴＢ（Set Top Box）等の出力機器とディスプレイ間をデジタル接続することを目的としている。
【０００７】
このＨＤＭＩにおいては、オーディオ信号及びコントロール信号を伝送する機能が追加され、ＴＶ用途の要求を満足するようになっている。従来の機器間の接続には、ビデオ、オーディオ、コントロールの各信号用に複数のケーブルを用いていたが、ＨＤＭＩ規格ではＨＤＭＩケーブル１本で済み、コントロール信号は双方向の伝送に対応しているため、例えばモニタからＨＤＭＩで接続されたＳＴＢやＤＶＤプレーヤ等の出力機器にコントロール信号を中継することによって、一つのリモコンでＡＶシステム（ホームシアタなど）全体を操作することも可能となる。
【０００８】
このようなＨＤＭＩに関する先行技術として、例えば、特許文献３には、ＨＤＭＩ規格を含むマスター，スレーブ型のネットワークを形成し、ＤＤＣ(Display Data Channel)バス（一方向）とＣＥＣ（Consumer Electronics Control）バス（双方向）との接続におけるルーティング決定方法と構成が開示されている。また、特許文献４には、ＨＤＭＩによる接続を使用して機器情報を取得し、各機器のフォーマット（映像・音声）変換を自動で行い、ユーザ設定作業を軽減する技術が開示されている。さらに、特許文献５には、ＨＤＭＩ対応のデータ送信機器とＨＤＭＩ対応のデータ受信機器間で仕様が異なる場合に自動でマッチングする技術が開示されている。
【特許文献１】特開平１１−３０８５４８号公報
【特許文献２】特開２０００−１５２１１９号公報
【特許文献３】特表２００５−５２８８５３号公報
【特許文献４】特開２００５−５１５４７号公報
【特許文献５】特開２００６−１２９２５６号公報
【発明の開示】
【発明が解決しようとする課題】
【０００９】
しかしながら、特許文献１に記載のテレビ装置では、接続された１台の録画装置におけるＧコード予約に対応しているだけであり、例えばＨＤＭＩ端子により他の機器を経由して接続された録画装置など、テレビ装置に直接接続されていない録画装置に対しては、Ｇコード予約モード信号及びＧコード予約画面信号の受信すらできずＧコード予約画面及びＴＶ画面での２画面表示を行うことはできない。
【００１０】
また、特許文献２に記載のテレビ装置では、上述のごとく親画面での番組の鑑賞が妨げられず且つユーザが所望の番組を選択して画面に表示させることが可能であるが、所望の番組を選択する対象の入力ソースは、テレビ装置内部若しくは直接接続された装置に限るだけでなく、所望の番組を選択する際には既にその入力ソースの表示がなされた状態にあることが前提となっている。
【００１１】
従って、特許文献１，２をはじめとする従来技術では、テレビ装置に直接接続されていない録画装置の録画予約や録画予約確認をテレビ装置で行うには、テレビ装置における現在の視聴状態を一旦終える必要があり、操作後には元の視聴状態に戻すことも含め２回の入力切換が必要となる。
【００１２】
また、このような課題は、テレビ装置に限らずモニタ等の表示装置であっても生じ得、さらに録画装置における録画予約等の上述した場面以外にも、外部機器の設定画面画像を表示させる場面でも生じ得る。なお、特許文献３−５をはじめとするＨＤＭＩ規格に関する従来技術においてもこのような課題を解決することはできない。
【００１３】
本発明は、上述のごとき実情に鑑みてなされたものであり、直接接続されていない外部機器であっても、その外部機器の設定画面画像を、現在表示中の画像を妨げることなく且つ煩雑な操作を行わずに表示することが可能な表示装置、及びその表示装置を備えた表示システムを提供することを目的とする。
【課題を解決するための手段】
【００１４】
上記課題を解決するために、本発明の第１の技術手段は、ＨＤＭＩ入力端子を備え、ＨＤＭＩ出力端子を備えた外部機器がＨＤＭＩケーブルによって前記ＨＤＭＩ入力端子に、直接接続可能で且つＨＤＭＩ入出力端子を備えた中継外部機器を介しても接続可能な表示装置であって、複数の入力ソースから入力された画像のそれぞれを同時に画面で表示する制御を行う複数画面表示制御手段と、当該表示装置に接続された前記外部機器から、ＨＤＭＩ規格に基づくＣＥＣコマンドを使用して送信された、前記外部機器の設定画面画像を出力することを示す所定の画面開始コマンドを検出するコマンド検出手段とを備え、前記複数画面表示制御手段は、前記コマンド検出手段で前記画面開始コマンドを検出した場合、前記外部機器から出力された設定画面画像をサブ画面で追加表示する制御を行うことを特徴としたものである。
【００１５】
第２の技術手段は、第１の技術手段において、前記複数画面表示制御手段における前記サブ画面の追加表示の制御又は前記コマンド検出手段における前記画面開始コマンドの検出は、当該表示装置本体及び／又は他の外部機器からの画像が画面表示されていた場合のみ実行されることを特徴としたものである。
【００１６】
第３の技術手段は、第１の技術手段において、前記複数画面表示制御手段は、前記コマンド検出手段で前記画面開始コマンドを検出したとき、当該表示装置本体及び他の外部機器のいずれからも画像が表示されていなかった場合には、前記設定画面画像を前記サブ画面で追加表示する代わりにメイン画面で表示する制御を行うことを特徴としたものである。
【００１７】
第４の技術手段は、第１又は第２の技術手段において、前記複数画面表示制御手段は、前記コマンド検出手段で前記画面開始コマンドを検出したとき、当該表示装置本体又は他の外部機器からの画像が元々サブ画面で表示されていた場合には、前記設定画面画像を前記サブ画面で追加表示する代わりに前記元々表示されたサブ画面で表示する制御を行うことを特徴としたものである。
【００１８】
第５の技術手段は、第１乃至第４のいずれかの技術手段において、前記コマンド検出手段は、前記外部機器から前記設定画面画像の出力を終了することを示す画面終了コマンドを検出する手段を有し、前記複数画面表示制御手段は、前記コマンド検出手段で前記画面終了コマンドを検出した場合、前記設定画面画像の画面表示を終了して、元の状態に戻す制御を行うことを特徴としたものである。
【００１９】
第６の技術手段は、第４の技術手段において、前記コマンド検出手段は、前記外部機器から前記設定画面画像の出力を終了することを示す画面終了コマンドを検出する手段を有し、前記複数画面表示制御手段は、前記コマンド検出手段で前記画面終了コマンドを検出した場合、前記設定画面画像のサブ画面表示自体を終了する制御を行うことを特徴としたものである。
【００２０】
第７の技術手段は、第１乃至第６のいずれかの技術手段において、前記設定画面画像は、処理一覧画面、予約設定画面、予約リスト確認画面、録画リスト確認画面のいずれかの画像であることを特徴としたものである。
【００２１】
第８の技術手段は、第５又は第６の技術手段において、前記設定画面画像は、録画リスト確認画面の画像であり、前記複数画面表示制御手段は、前記画面終了コマンドが映像表示開始を示すコマンドであった場合、前記設定画面画像の表示画面にそのまま前記外部機器からの映像を表示する制御を行うことを特徴としたものである。
【００２２】
第９の技術手段は、第５又は第６の技術手段において、前記設定画面画像は、録画リスト確認画面の画像であり、前記複数画面表示制御手段は、前記画面終了コマンドが映像表示開始を示すコマンドであった場合、前記設定画面画像の画面表示を終了し、前記外部機器からの映像をメイン画面に表示する制御を行うことを特徴としたものである。
【００２３】
第１０の技術手段は、第１乃至第９のいずれかの技術手段における表示装置を備えた表示システムであって、前記外部機器又は前記外部機器及び中継外部機器を備え、前記表示装置は、前記外部機器に直接接続されるか、或いは前記外部機器に前記中継外部機器を介して接続されることを特徴としたものである。
【発明の効果】
【００２４】
本発明によれば、表示装置において、直接接続されていない外部機器であっても、その外部機器の設定画面画像を、現在表示中の画像を妨げることなく且つ煩雑な操作を行わずに表示することが可能となる。
【発明を実施するための最良の形態】
【００２５】
本発明に係る表示装置は、映像信号を入力するＨＤＭＩ入力端子を１又は複数もち、且つ複数画面表示が可能な装置であり、以下、図面を参照しながらテレビ装置に適用した例のみを示すが、ＰＣ用の表示モニタなど他種の表示装置であっても適用できる。また、本明細書でいうＨＤＭＩ入力端子とは、ＨＤＭＩ規格に基づいて映像パケット（又は映像パケット及び音声パケット）を含むデータストリームが入力する側のＨＤＭＩ端子を指すものとする。
【００２６】
本発明に係る表示システムは、ＨＤＭＩ入力端子を備えた表示装置と、ＨＤＭＩ出力端子をもつ外部機器（外部ＡＶ機器）とを少なくとも含み、ＨＤＭＩ入出力端子（入力端子及び出力端子）をもつ中継用の外部機器（中継外部機器という）も組み込むことができる。このように、本発明では、表示装置に具備されたＨＤＭＩ入力端子に、ＨＤＭＩ出力端子を備えた外部機器がＨＤＭＩケーブルによって直接接続することが可能であり、またその外部機器がＨＤＭＩケーブルによって中継外部機器を介して間接的に接続することも可能であるものとする。
【００２７】
本発明では、後述するようにＣＥＣコマンドを使用した処理を実行する。ＣＥＣは、ＨＤＭＩで規格化されている制御プロトコルである。そのプロトコルに基づく制御信号であるＣＥＣコマンドを機器間でやりとりすることにより、表示装置に直接又は間接的に接続された外部機器（中継外部機器を含む）の入力構成を認識し、外部機器の起動操作や中継外部機器での入力切換動作などを実行させることが可能となっている。ＨＤＭＩ規格では、このようにＣＥＣコマンドで双方向に映像や音声以外のデータ伝送が可能となっており、ＨＤＭＩ端子から相手機器に対してデータの伝送が行われることもある。また、ＣＥＣコマンドには、予め規定されているコマンド以外に、ベンダーが任意に規定できるＣＥＣベンダーコマンドが含まれる。ベンダーは、これによりカスタマイズ可能となる。
【００２８】
図１は、本発明の表示装置の一実施形態例を説明するためのブロック図で、本発明の表示装置をテレビ装置に適用した例を示すものである。図１で例示するテレビ装置１は、システム全体の制御を行うシステム制御部２２と、システム制御部２２からのバスの使用要求を受けてバスの使用許可を与えるバス調停部２１とを備えている。
【００２９】
システム制御部２２は、ＣＰＵ（Central Processing Unit）２２ａ、ＲＯＭ（Read Only Memory）２２ｂ、及びＲＡＭ（Random Access Memory）２２ｃ等で構成されるマイコン、並びに、ＥＥＰＲＯＭ（Electrically Erasable and Programmable ROM）２２ｄ等の記憶装置などで構成される。ＲＯＭ２２ｂには、システム全体の制御を行うための制御プログラムが格納されており、この制御プログラムは、少なくとも起動時にＣＰＵ２２ａによって、ＲＯＭ２２ｂから作業領域であるＲＡＭ２２ｃに読み出され、実行される。実行中に生じる各種データもＲＡＭ２２ｃに一時的に格納される。なお、システム制御部２２をはじめ各部はここで説明する構成例に限ったものではない。
【００３０】
本発明に係るテレビ装置１は、複数画面表示を可能とするために複数画面表示制御手段を備えている。この複数画面表示制御手段は、複数の入力ソースから入力された画像のそれぞれを同時に画面で表示する制御を行う手段であり、多画面表示制御手段とも言える。この手段による複数画面表示制御は、本発明の主たる特徴をなしその特徴部分は後述するが、その制御を実行する複数画面表示制御プログラムとして上述の制御プログラムに含み、ＲＯＭ２２ｂに格納しておくことで実現できる。一方、ＥＥＰＲＯＭ２２ｄには、制御プログラムで使用する各種パラメータ（ＲＯＭ２２ｂに格納してもよい）や、テレビ装置１のユーザ設定データ等が格納され、必要に応じてＣＰＵ２２ａやシステム制御部２２外部の構成要素によって読み出される。
【００３１】
バス調停部２１は、一時に一つのバスの使用要求があったときは直ちに使用許可を与え、一時に複数の使用要求があったときは、すなわちバスの使用要求が競合したときは、予めシステム制御部２２等に定められている優先度に従ってバスの使用許可を与える。
【００３２】
また、テレビ装置１は、受信したデジタル放送信号を選局して復調するＴＶチューナ１８と、復調した放送信号からＥＰＧデータの抽出や復調されたデータの分離を行うデマルチプレクサ１７と、分離されたデジタル放送のビデオデータをデコードするビデオデコーダ１６とを備えている。
【００３３】
画像処理部２０では、ノイズリダクション、スケーリングやＩＰ変換等の映像信号変換処理や、画質強調補正処理やγ補正処理等の画質調整処理を、適宜必要に応じて実施する。また、映像信号変換処理において、各種の３次元画像処理を行うためにフレームメモリ１９が使用される。また、画像処理部２０には、これらの映像信号変換処理後の映像に重畳するためのＯＳＤ画像を生成するＯＳＤ処理部２０ａが設けられている。ＯＳＤ処理部２０ａでは映像信号変換処理の処理途中又は処理前の映像信号にＯＳＤ画像を重畳できるように出力してもよい。
【００３４】
デバイス駆動部２４は、液晶パネル等の表示デバイス２３を駆動制御して、画像処理部２０から出力された映像信号を表示デバイス２３に表示させる。また、テレビ装置１には、ユーザが操作するリモートコントローラ（以下、ＴＶリモコン）からの赤外線信号を受信する赤外線受光部２５が設けられる。赤外線受光部２５で受信したＴＶリモコンによる操作信号に基づき、システム制御部２２は各部に対して処理命令を発する。
【００３５】
テレビ装置１には、映像信号や音声信号の入力Ｉ／Ｆとして、複数の外部入力Ｉ／Ｆ（外部入力１〜外部入力３）１１，１２，１３と、ＨＤＭＩ機器からの入力Ｉ／Ｆ（ＨＤＭＩ入力１、ＨＤＭＩ入力２）１４，１５とが設けられる。ＨＤＭＩ用Ｉ／Ｆ１４，１５には、ＨＤＭＩケーブルが接続され、外部機器との接続を可能にする。ＨＤＭＩ出力端子を備えた外部機器であれば、直接接続だけでなく中継外部機器を介しても接続可能である。ＨＤＭＩ規格に基づくデータの送受信に係わる構成要素の詳細については、図３を参照して後述する。
【００３６】
図２は、図１のテレビ装置を含む表示システムの構成例を示す概略図である。図２の構成例では、シンク機器である表示装置（テレビ装置１）のＨＤＭＩ入力端子２（Ｉ／Ｆ１５）に対してリピータ機器であるＡＶアンプ２が、テレビ装置１のＨＤＭＩ入力端子１（Ｉ／Ｆ１４）に対してプレーヤ５が、それぞれ接続されている。
【００３７】
また、ＡＶアンプ２のＨＤＭＩ入力端子には、ソース機器であるＨＤＭＩ出力端子をもつ複数の出力装置がＨＤＭＩケーブルによって接続され、ＡＶアンプ２のセレクタ機能によって入力ラインを切り換えることができる。入力ラインの切り換えは、ＡＶアンプ２に対する直接のユーザ操作だけでなく、テレビ装置１から送信されたＣＥＣコマンドによっても実行することができる。
【００３８】
本構成例では、出力装置として２台のレコーダ１（３）及びレコーダ２（４）が接続されているものとする。また、出力装置としては、例えばＨＤＭＩ出力端子を持つＤＶＤレコーダやＨＤＤレコーダ、Ｄ−ＶＨＳレコーダ、デジタルビデオカメラ、ＤＶＤプレーヤ、チューナ機器、ＳＴＢ（デジタルＳＴＢ）など、様々な機器が該当する。なお、ＨＤＭＩ入力端子１，２（入力Ｉ／Ｆ１４，１５）は、テレビ装置１をシンク機器として用いる場合は入力端子として機能するが、リピータ機器又はソース機器として用いる場合はＨＤＭＩ出力端子として機能する。
【００３９】
このように図２の構成例では、テレビ装置１のＨＤＭＩ入力端子には、プレーヤ５及びＡＶアンプ２が直接に接続され、２台のレコーダ３，４がＡＶアンプ２を介して間接に接続されている。そして、これらの機器２〜５はテレビ装置１に対して階層構造を形成しており、プレーヤ５及びＡＶアンプ２を第１階層、レコーダ３，４を第２階層とする。
【００４０】
図３は、図２のシステムのうち直列に繋がれた３つの機器の構成例を示す図である。図３では、表示装置３０、リピータ機器４０、及び出力装置５０の間でなされるデータのやりとりに関する構成要素を主に示している。それぞれの機器は、例えば図２におけるテレビ装置１、ＡＶアンプ２、及びレコーダ３（又はレコーダ４）に該当するものである。
【００４１】
各装置３０，４０，５０は、ＨＤＭＩケーブルによって直接又は間接的に接続されている。ＨＤＭＩケーブルは、デジタル信号である映像・音声信号を差動方式で伝送するためのＴＭＤＳ（Transition Minimized Differential Signaling）ライン６１と、機器間で共通の制御信号（ＣＥＣコマンド）を伝送する双方向バスであるＣＥＣライン６２とを含んでいる。ＣＥＣライン６２は、上述のごとく本発明で使用する伝送ラインとなる。この他、ＨＤＭＩケーブルには、ＥＤＩＤ（Extended Display Identification Data）の送信やＨＤＣＰ認証等に利用されるＤＤＣラインが含まれる。
【００４２】
ＴＭＤＳライン６１は、デジタル信号転送ラインとも呼ばれるシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。また、ＨＤＭＩ規格は、５．１ｃｈや６．１ｃｈなどマルチサラウンドの音声信号の伝送にも対応している。また、ブランキング期間には、メーカ名、機種名、及びカテゴリ等でなる機種情報が挿入されることもある。なお、機種情報は、ＨＤＭＩ規格でもオプション項目となっている、ＣＥＡ（Consumer Electronics Association）−８６１規格で規定のＳＰＤ（Source Product Description）パケットとして挿入される。
【００４３】
出力装置５０は、ＨＤＭＩ用Ｉ／Ｆとして、ＨＤＭＩトランスミッタ５１、ＨＯＳＴ ＣＰＵ５２、フロントマイコン５３、及びＣＥＣ Ｉ／Ｆ５４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、ＨＤＭＩトランスミッタ１１は、ビデオ／音声を含む変換したストリームを映像パケット／音声パケットとして、ＴＭＤＳライン６１を用いリピータ機器４０へ送信する。
【００４４】
ＣＥＣ Ｉ／Ｆ５４は、ＨＤＭＩケーブル内のＣＥＣライン６２を接続し、リピータ機器４０との間でＣＥＣコマンドの双方向通信を可能とする。ＣＥＣ Ｉ／Ｆ５４は、またリピータ機器４０を介して表示装置３０との間でもＣＥＣコマンドの双方向通信を可能とする。ＣＥＣ Ｉ／Ｆ５４の動作は、ＣＥＣコントローラを含むフロントマイコン５３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得される。従って、送信側機器は、この論理アドレス（及び物理アドレス）を指定することで所望の機器にＣＥＣコマンドを送信することができ、また受信側機器は、このＣＥＣコマンドに付加された送信元の論理アドレス（及び物理アドレス）によって送信側機器を認識し、確認信号などを返信することができる。
【００４５】
また、フロントマイコン５３は低電力で動作し、常にＣＥＣライン６２から転送されてくるＣＥＣコマンドを監視する。フロントマイコン５３には、ＲＯＭや書き換え可能ＲＯＭ等にＣＥＣコマンドが読み出し可能に格納されており、これによりＣＥＣコマンドの監視と送信したいＣＥＣコマンドを読み出すことが可能となっている。また、フロントマイコン５３は、赤外線受光部５５によってリモコン５６からのリモコン信号の送信の有無を監視する。ＨＯＳＴ ＣＰＵ５２は、ＨＤＭＩコントローラを含み、ＨＤＭＩトランスミッタ５１やフロントマイコン５３など、装置全体の動作を制御する。また、出力装置５０のスタンバイモードなどによってＨＯＳＴ ＣＰＵ５２がダウンしているときも、フロントマイコン５３は動作している（少なくともＣＥＣコマンドの転送が可能な状態で動作する）。
【００４６】
リピータ機器４０は、ＨＤＭＩ用Ｉ／Ｆとして、ＨＤＭＩレシーバ４１、ＨＤＭＩトランスミッタ４２、ＨＯＳＴ ＣＰＵ４３、フロントマイコン４４、及びＣＥＣ Ｉ／Ｆ４５を備えている。リピータ機器４０は、出力装置５０から転送されたストリームをＨＤＭＩレシーバ４１で受信し、さらにＨＤＭＩトランスミッタ４２から送出して、表示装置３０に転送する。また、ＣＥＣ Ｉ／Ｆ４５によって、出力装置５０との間のＣＥＣライン６２と、表示装置３０との間のＣＥＣライン６２とを接続する。
【００４７】
ＨＯＳＴ ＣＰＵ４３とフロントマイコン４４は、上述の出力装置５０内部のそれらと同様の機能を備え、ＨＯＳＴ ＣＰＵ４３は、フロントマイコン４３、ＨＤＭＩレシーバ４１、及びＨＤＭＩトランスミッタ４２を制御するともに、装置全体を制御する。また、フロントマイコン４４は、ＣＥＣコントローラを含み、ＣＥＣライン６２から転送されてくるＣＥＣコマンドを監視する。フロントマイコン４４は、この監視によって、ＣＥＣ Ｉ／Ｆ４５で受信したＣＥＣコマンドがリピータ機器４０自身へのＣＥＣコマンドでなかったときにはスルーすることで、表示装置３０と出力装置５０との双方向通信を可能にする。
【００４８】
また、図１のＡＶアンプ２などのように、リピータ機器４０に複数のＨＤＭＩ入力端子がある場合、複数のＨＤＭＩ機器（例えばレコーダ３，４）を出力装置として接続することができる。この場合、リピータ機器のセレクト機能より、表示装置３０に転送するストリームの入力ポートを、図２のレコーダ３，４の間で適宜切り換えることができる。そして、ストリームの入力ポートの切換は、表示装置３０のリモコン３５に対するユーザ操作に応じたＣＥＣコマンドや、リピータ機器４０に対するリモコン等の操作部（図示せず）に対するユーザ操作などによって、実現することができる。
【００４９】
表示装置３０は、図１のＨＤＭＩ用Ｉ／Ｆ１４，１５として、ＨＤＭＩレシーバを内蔵したＨＯＳＴ ＣＰＵ３１、モニターマイコン３２、及びＣＥＣ Ｉ／Ｆ３３を備えている。表示装置３０は、リピータ機器４０から送出されたストリームをＨＤＭＩレシーバ内蔵のＨＯＳＴ ＣＰＵ３１で受信する。また、ＣＥＣ Ｉ／Ｆ３３によって、リピータ機器４０との間のＣＥＣライン４２が接続される。また、モニターマイコン３２は、図１のシステム制御部２２内部のＣＰＵ２２ａ、ＲＯＭ２２ｂ、及びＲＡＭ２２ｃで構成してもよく、またＨＯＳＴ ＣＰＵ３１もシステム制御部２２に内蔵するなどしてもよい。また、ＨＤＭＩレシーバは、ＨＯＳＴ ＣＰＵ３１と分離された構成であってもよい。
【００５０】
ＨＯＳＴ ＣＰＵ３１は、ＨＤＭＩレシーバを内蔵し、また装置全体を制御している。ＨＯＳＴ ＣＰＵ３１に内蔵されたＨＤＭＩレシーバは、受信したストリームに対し映像／音声の分離も行い、図１の構成例では必要に応じて画像処理部２０や図示しない音声処理部にそれらの信号を送る。画像処理部２０や音声処理部では、所定の映像信号処理や音声信号処理を行って、表示デバイス２３の表示画面に映像表示を行うとともに、図示しないスピーカから音声出力させる。また、ＨＤＭＩではない経路から映像／音声信号が入力する場合には、ビデオ／オーディオスイッチにより出力信号が切り換えられる。
【００５１】
モニターマイコン３２は、リモコン３５からのリモコン信号を受信する赤外線受光部３４（図２の赤外線受光部２５に相当）を制御している。リモコン３５は、通常の電源キーやチャンネル選択キーなどの他に、所定のショートカットキー（ワンタッチキー）３５ａや選択・決定キー３５ｂなどを有する。そして、表示装置３０のスタンバイモードなどにおいてＨＯＳＴ ＣＰＵ３１がダウンしているときでも、モニターマイコン３２が動作し、リモコン信号の受信と後述のＣＥＣコマンドの送受信とが可能な状態に維持される。
【００５２】
また、モニターマイコン３２は、ＣＥＣライン６２のコントローラを含み、ＣＥＣライン６２から転送されてくるＣＥＣコマンドを監視する。表示装置３０では、モニターマイコン３２において、ＣＥＣライン６２から表示装置３０に接続されたリピータ機器４０のＨＤＭＩ入力端子のポート数の情報を得ることができる。つまり、表示装置３０では、所定のＣＥＣコマンドをリピータ機器４０に送信することにより、リピータ機器４０からそのＨＤＭＩ入力端子のポート数を出力させるようにする。
【００５３】
また、表示装置３０では、モニターマイコン３２において、ＣＥＣライン６２から表示装置３０に接続されたリピータ機器４０のＨＤＭＩ入力端子の各ポートのうち、いずれのポートを選択しているのかを示す情報を得て、その情報に基づき操作対象機器を選択することができる。
【００５４】
例えば、図２のシステム構成例において、ユーザ操作によりテレビ装置１がＨＤＭＩ入力２からの映像を表示させる選択をした場合を想定する。このようにテレビ装置１が入力を切り換えたときに、＜Ｓｅｔ Ｓｔｒｅａｍ Ｐａｔｈ＞というＣＥＣコマンドを接続先機器（ここではＡＶアンプ２）へ送信し、このＣＥＣコマンドに対して接続先機器から“Ａｃｋ”が返ってくると、当該接続先機器との経路が確立していることとなる。なお、送信するコマンドには送信元の機器自身のアドレス（論理アドレス、又は論理アドレス及び物理アドレス）も記述されているものとする。
【００５５】
ここで、ＨＤＭＩ入力端子１が選択されている場合には、プレーヤ５から“Ａｃｋ”のみの返答で選択機器の通知がなされないため、プレーヤ５が操作対象機器となる。一方、ＨＤＭＩ入力端子２が選択されている場合にはＡＶアンプ２は出力装置ではなく、どの機器が操作対象であるかはこの端子に接続されるＡＶアンプ２の選択に依存することになる。ＡＶアンプ２がレコーダ３を選択している場合、テレビ装置１はその情報をＣＥＣコマンドにより得て（“Ａｃｋ”と同時に選択機器の情報を受信）、レコーダ３に対して＜Ｓｅｔ Ｓｔｒｅａｍ Ｐａｔｈ＞を送信し、レコーダ３から確認信号の返答があった時点でレコーダ３との経路が確立されたこととなる。
【００５６】
以下、図１乃至図３で例示した表示システムにおいて実行される、本発明の主たる特徴である表示画面の自動切換処理の様々な形態について、まずその基本的な処理を説明し、続いて図４乃至図９を併せて参照しながら具体的な例を挙げて説明する。
【００５７】
図１乃至図３で例示した本発明に係る表示装置は、上述の複数画面表示制御手段とともに、ＣＥＣコマンドを検出するコマンド検出手段を備える。このコマンド検出手段は、表示装置に接続された外部機器（例えばレコーダ３，４やプレーヤ５等）から、ＨＤＭＩ規格に基づくＣＥＣコマンドを使用して送信された所定の画面開始コマンドを検出する。この所定の画面開始コマンドは、その外部機器の設定画面画像を出力することを示すコマンドであり、テレビ装置１（表示装置３０）のアドレスを指定して発せられたコマンドである。また、このコマンドには外部機器自身のアドレスも記述されているものとする。
【００５８】
そして、複数画面表示制御手段は、コマンド検出手段で画面開始コマンドを検出した場合、その外部機器から出力された設定画面画像を、サブ画面で追加表示する制御を行う。すなわち、この制御では、画面開始コマンドの受信をトリガとして図１の表示デバイス２３に新たなサブ画面が追加表示されることとなる。
【００５９】
なお、サブ画面とは基本的に、音声出力されたコンテンツの映像が表示される画面であるメイン画面以外の画面を指す。但し、モニタ装置など音声出力を別途行う装置に対しては、メイン画面は予め決められた位置の画面（例えば一番左上の画面など）とし、それ以外の画面はサブ画面とする。また、メイン画面の視聴をやや妨げることとなるが、サブ画面はＰＩＰの入れ子画面としてもよい。その場合、設定画面画像がメイン画面に入れ子画像として組み込んで表示される。
【００６０】
そして、複数画面表示制御手段は、追加サブ画面の表示や後述する表示解除などを行うが、どのような条件のときにどのような画面分割を行うかなどを示すデータなどの各種パラメータを予め格納しておき、必要に応じて読み出して、そのデータに基づき画面制御を実行するとよい。
【００６１】
上述した複数画面表示制御プログラムは、コマンド検出手段での検出結果に基づき、このような制御を実行するためのプログラムとなる。図３の構成例でいうと、コマンド検出手段は、ＣＥＣコマンドを受信するＣＥＣ Ｉ／Ｆ３３と、それを制御するモニターマイコン３２（及びＨＯＳＴ ＣＰＵ３１）とで構成できる。このモニターマイコン３２（及びＨＯＳＴ ＣＰＵ３１）には、受信したコマンドが上述の画面開始コマンドであるか否かを判定する判定プログラム（及びコマンドの種別を示すデータ）が実行可能に組み込まれていればよい。このように、コマンド検出手段及び複数画面表示制御手段は、図示しない表示部と、ＣＥＣ Ｉ／Ｆ３３、及びモニターマイコン３２（及びＨＯＳＴ ＣＰＵ３１）で実現できる。
【００６２】
図１の構成例でいうと、コマンド検出手段及び複数画面表示制御手段は、ＨＤＭＩ入力Ｉ／Ｆ１４，１５内のＣＥＣ Ｉ／Ｆ、画像処理部２０、デバイス駆動部２４、及びシステム制御部２２で実現でき、その場合、上述の判定プログラムは上述の複数画面表示制御プログラムに内包しておけばよい。
【００６３】
図４は、図１乃至図３のテレビ装置における表示画面の切換例を説明するための図で、図５は、図４の切換例を実現するための切換処理の一例を説明するためのフロー図である。図４の画面７０は、図１におけるテレビ装置１の表示デバイス２３の画面である。
【００６４】
まず、画面７０に、図４の上段のごとく図１のＴＶチューナ１８で受信した映像７１が表示されている場面を想定する。このとき、レコーダ３のリモコン（図３のリモコン５６）により、レコーダ３が処理一覧画面（スタートメニュー）を出力するユーザ操作がなされたとする。このようなユーザ操作としては、レコーダ３の電源をオンにする操作や他の画面を出力中（但しテレビ装置１には映像未表示）にスタートメニューを表示するためのキーを押下する操作などが該当する。
【００６５】
なお、このユーザ操作は、テレビ装置１のリモコンで実行可能としてもよく、その場合、テレビ装置１のリモコンから直接レコーダ３に操作信号を送るように構成しておいてもよいし、テレビ装置１で操作信号を受信してＣＥＣコマンドでレコーダ３に転送して電源オンや処理一覧画面表示を実行させるように構成しておいてもよい。このときの操作対象のキーは、所定のショートカットキーとして、例えば図３のＴＶリモコンのショートカットキー３５ａのように設けておけばよい。
【００６６】
レコーダ３は、図３で例示したＣＥＣライン６２でのＣＥＣコマンドの送信方法で、テレビ装置１のＨＤＭＩ入力Ｉ／Ｆ１５に対し、予めユーザ操作毎に対応付けられて格納された画面開始コマンド（ここでは処理一覧画面の開始コマンド）を読み出して送信する。なお、このコマンドは送信先のアドレスとしてテレビ装置１のアドレスを指定し、且つ自身のアドレスも記述されているものとする。
【００６７】
この送信の前後でレコーダ３は、処理一覧画面の画像データのＴＭＤＳライン６１を介した送信を開始している。従って、処理一覧画面の開始コマンドによって、その画面になったことをテレビ１に通知することとなる。但し、テレビ装置１では、この処理一覧画面の画像は現段階で表示されていない。また、画像データの送信は、表示する際にテレビ装置１側からのＣＥＣネットワーク制御により実行するようにしてもよい。なお、本例の前提とは異なり、テレビ装置１においてレコーダ３からの映像が現在表示中であった場合（レコーダ３を或る画面の入力ソースとしている場合）には、そのまま処理一覧画面を表示すればよいだけであり、本発明に係る処理は不要となる。
【００６８】
テレビ装置１は、この画面開始コマンドを検出した場合（ステップＳ１でＹＥＳ）、まず、システム制御部２２が、テレビ装置１の本体からの映像（すなわちＴＶチューナ１８からの入力映像）や他の外部機器からの映像（すなわちＨＤＭＩ入力Ｉ／Ｆ１４、外部入力Ｉ／Ｆ１１〜１３から入力された映像）が表示デバイス２３で現在表示中であるか否かを判定する（ステップＳ２）。ここで、現在表示中とは、１画面表示がなされている場合だけでなく、多画面表示がなされている場合も含むものとする。また、画面開始コマンドには送信元のアドレスが記述されており、これによりコマンドを発した外部機器が特定できるので、他の外部機器と区別することができる。
【００６９】
上述の前提のごとくステップＳ２でＹＥＳの場合、システム制御部２２は、追加サブ画面用の入力ソースを、画面開始コマンドの検出元機器（ここではレコーダ３）に設定する（ステップＳ３）。ステップＳ３に続き、システム制御部２２が、現在表示中の映像７１と検出元機器の設定画面画像（ここでは処理一覧画面画像７２）とを、後者を追加サブ画面として多画面表示するよう画像処理部２０を制御する（ステップＳ４）。ステップＳ４では、この制御により画像処理部２０が、ＴＶチューナ１８をメイン画面の入力ソースとしたままＨＤＭＩ入力Ｉ／Ｆ１５（に接続されたレコーダ３）を追加するサブ画面の入力ソースとして切り換え、現在表示中の映像７１を縮小した映像７１ｓをメイン画面、処理一覧画面画像７２をサブ画面となるように合成し、デバイス駆動部２４へ出力して表示デバイス２３に表示させる（図４の下段の画面７０）。
【００７０】
システムが深い階層をもつものであって表示させる外部機器が下層にある場合、入力切換の際、必要に応じて中継外部機器に対してＣＥＣコマンドによりその中継外部機器に対する入力を切り換える処理を指示し、さらに必要に応じて中継外部機器は下層の機器に対して入力切換指示をＣＥＣコマンドで送るか、或いはテレビ装置１から直接その下層の機器に対して入力切換指示をＣＥＣコマンドで送るかの処理を行うとよい。
【００７１】
このように、複数画面表示制御手段では、レコーダ３から出力された設定画面画像（ここでは処理一覧画面画像７２）を、サブ画面で追加表示する制御を行う。ここでサブ画面を追加するに当たって、複数画面表示制御手段は、例えば、同時に表示する入力ソースの数（コマンド検出前に表示していた画面数＋１）により画面全体中の領域を分割し、各領域に各入力ソースを割り当てて表示させる制御を行えばよい。領域分割の方法は任意に決めておけばよい。各領域に対し各入力ソースを割り当てる際には、メイン画面に表示していた画像の入力ソースを追加サブ画面表示後もメイン画面にし、追加サブ画面を例えば割り当てる最後の領域の画面にするなどの基本的な考えに基づき、制御を行えばよい。現在の視聴状態が２画面だった場合は、３画面又は４画面以上のマルチ画面（余った領域は入力ソース無しで非表示でもよい）にすることで対応できる。また、制御時には、ステップＳ２でＮＯの場合などに対応するため、画面数の増減はあるのかといった判断も行い、それに基づく制御を行うことが好ましい。
【００７２】
サブ画面で追加された処理一覧画面画像７２について簡単に説明する。画像７２は、所謂スタートメニューであり、再生・編集項目７２ａ、予約処理項目７２ｂ、ダビング項目７２ｃ、消去項目７２ｄ、放送視聴・外部機器項目７２ｅ、ディスク管理項目７２ｆ、各種設定項目７２ｇ、及びお知らせ項目７２ｈなどの各項目の他に、レコーダ３のリモコンによるそれらの選択方法が表示されている。各項目７２ａ〜７２ｈをレコーダ３のリモコン（或いはテレビ装置１のリモコン）で操作すると、下層の処理項目が複数表示されるようになっている。
【００７３】
再生・編集項目７２ａはレコーダ３に蓄積されたコンテンツの再生や編集を行う項目であり、予約処理項目７２ｂは予約録画や予約視聴を行う項目である。ダビング項目７２ｃは、或る記憶領域から他の記憶領域へコピーする項目であり、一般的に可搬の記録ディスクやハードディスクから可搬の記録ディスクへのコピーを行うためのものである。消去項目７２ｄは、コンテンツを選択消去や全部消去するなどの処理を行う項目である。放送視聴・外部機器項目７２ｅは、レコーダ３で受信した放送を視聴する処理や、レコーダ３に接続された他の外部機器からの入力映像を視聴する処理を行う項目である。ディスク管理項目７２ｆは、可搬の記録ディスクやハードディスクに対する保護、ファイナライズ、及び初期化などを行う項目である。各種設定項目７２ｇは、レコーダ３自身に対する、例えば録画機能等の設定を行う項目で、お知らせ項目７２ｈは、放送局から送られてくるメッセージやＢ−ＣＡＳカードや有料放送に関する情報を閲覧する項目である。
【００７４】
このように、本発明では、テレビ装置１に直接接続されていない外部機器でも、ＨＤＭＩ ＣＥＣ接続されている外部機器ならば、対象となる外部機器までに接続されている機器の入出力を切り換え、現在表示中の画像を妨げることなく且つ煩雑な操作を行わずに表示することができる。換言すると、本発明では、相互接続された機器の機能（この例では受信映像表示機能と処理一覧画面等の表示機能）を同時に使う場合、入力を自動的に切り換え、画面を追加することが可能となる。
【００７５】
より具体的には、接続されている機器が処理一覧画面等になった場合、ＣＥＣネットワークの情報を利用し、それをテレビ装置１側で自動検知し、その機器の入力モードに自動切換を行うようにする。そして、その切換を２画面（メイン：今の視聴チャンネル、サブ：予約画面のチャンネル）にすることで今見ている視聴状態を保持したまま、処理一覧画面が表示でき、その処理一覧画面から予約録画をはじめとする各種設定を行うことができる。すなわち、レコーダ３のスタートメニューの開始を自動で検知し、表示を例えば２画面などの多画面にするテレビ画面自動切換を行い、その画面上で各種操作を行うこと並びにそれまでの視聴状態は残しておくことが可能となる。
【００７６】
また、ステップＳ２での判断を経て追加サブ画面表示の制御を行ったように、複数画面表示制御手段におけるサブ画面の追加表示の制御は、テレビ装置１の本体又は他の外部機器からの画像が画面表示されていた場合のみ実行されることが好ましい。また、その代替方法として、コマンド検出手段における画面開始コマンドの検出自体を、テレビ装置１の本体又は他の外部機器からの画像が画面表示されていた場合のみ実行するようにしてもよい。換言すると、上述の追加表示の制御又は画面開始コマンドの検出は、そのコマンドを発した外部機器からの画像を表示していない場合（但し、ステップＳ７，Ｓ８で後述するように一画面も表示していないときは除く）のみ実行されるようにしてもよい。
【００７７】
一方、ステップＳ２でＮＯの場合、その設定画面画像をサブ画面で追加表示する代わりにメイン画面で表示する制御を行うようにするとよい。より具体的には、画面開始コマンド検出時に何も接続されていないＩ／Ｆ或いは接続されているが電源がオフとなっている機器が入力ソースとして選択されていた場合、システム制御部２２は、画像処理部２０でのメイン画面の入力ソースを、画面開始コマンド送信元（検出元）の機器（ここではレコーダ３）に切り換える（ステップＳ７）。なお、ステップＳ７では、元々その検出元機器（ここではレコーダ３）が入力ソースとなっている場合には切り換えが不要となる。ステップＳ７に続いて、システム制御部２２が、検出元機器の設定画面画像をメイン画面の一画面で表示するよう画像処理部２０等を制御する。図示しないが、これにより処理一覧画面画像７２が、図４の上段の画面７０と同じ大きさで表示される。
【００７８】
次に、ステップＳ４，Ｓ８で画面表示を行った後の処理について説明する。まず、ユーザが処理一覧画面から各種操作を行い、それに対応する処理が実行された後、ユーザは、最終的に処理一覧画面を閉じる操作（予約処理終了操作などを含んでもよい）を行うことになる。レコーダ３は、この操作を検知して、画面開始コマンドの送信と同様に、画面終了コマンドをテレビ装置１に対して送信するようにする。
【００７９】
テレビ装置１では、システム制御部２２がこの画面終了コマンドを検出し（ステップＳ５でＹＥＳ）、画像処理部２０等に対して画面を元に戻す制御を行う（ステップＳ６）。ステップＳ６により、表示デバイス２３の画面７０は、ステップＳ４での多画面表示（図４の下段の映像７１ｓ及び静止映像７２）から、図４の上段に例示したような映像７１（但し映像は時間経過によって変化している）へと表示が変わり、画面数も元に戻ることとなる。また、ステップＳ８に続く処理では、ステップＳ５，Ｓ６により映像が表示されない状態に戻すこととなるが、そのままレコーダ３の映像を表示するように制御してもよい。
【００８０】
ここで例示したように、本発明の他の実施形態として、上述のコマンド検出手段は、このレコーダ３から設定画面画像の出力を終了することを示す画面終了コマンドを検出する手段を有することが好ましい。そして、複数画面表示制御手段は、コマンド検出手段で画面終了コマンドを検出した場合、設定画面画像の画面表示を終了して、元の状態に戻す制御を行うとよい。なお、画面終了コマンドの検出は、処理一覧画面画像７２をテレビ装置１のリモコンで操作している場合には、テレビ装置１が、リモコンでの操作信号のうち処理一覧画面を閉じる操作の信号を検知することで行ってもよい。
【００８１】
このように、本発明の他の実施形態では、画面開始コマンドにより表示した画面に対する操作が終了した時には、元の画面（例えば１画面）に自動で戻すことにより、少ない操作で視聴状態を終えることなく各種操作（例えば予約操作）を行うことができるだけでなく、元に戻す操作も容易になる。すなわち、この実施形態では、元の視聴状態からレコーダ３の操作を行うため入力を切り換える手間だけでなく、その操作を行うための画面から元の視聴状態へと戻すために入力を切り換える手間も省略することができる。
【００８２】
また、ここでは設定画面画像として処理一覧画面の画像７２を例示したが、具体例を挙げて後述するように、予約設定画面、予約リスト確認画面、録画リスト確認画面などの様々な画像が適用できる。実際、それら画面に応じたコマンドを送出側で用意しておき、それらのコマンドを受信側で解釈できるようにしておけばよい。
【００８３】
図６は、図１乃至図３のテレビ装置における表示画面の他の切換例を説明するための図で、図７は、図６の切換例を実現するための切換処理の一例を説明するためのフロー図である。図６の画面７０は、図１におけるテレビ装置１の表示デバイス２３の画面である。
【００８４】
まず、画面７０に、図１のＴＶチューナ１８で受信した映像７３と他の外部機器からの映像（ＨＤＭＩ入力Ｉ／Ｆ１４、外部入力Ｉ／Ｆ１１〜１３から入力された映像）７４が２画面表示されている場面を想定する。映像７３がメイン画面で、映像７４がサブ画面で、それぞれ表示されているものとする。このとき、レコーダ３のリモコンにより、レコーダ３が予約処理画面（ＥＰＧ画面）を出力するユーザ操作がなされたとする。このようなユーザ操作としては、他の画面を出力中（但しテレビ装置１には映像未表示）にＥＰＧを表示するためのキーを押下する操作などが該当する。なお、このユーザ操作は、テレビ装置１のリモコンで実行可能としてもよい。
【００８５】
レコーダ３は、図４及び図５での処理と同様に画面開始コマンド（ここでは予約処理画面の開始コマンド）を送信し、この送信の前後でレコーダ３は、予約処理画面の画像データ（ＥＰＧデータ）の送信を開始している。
【００８６】
テレビ装置１は、図５のステップＳ１，Ｓ２と同様に、システム制御部２２が、この画面開始コマンドを検出した場合（ステップＳ１１でＹＥＳ）に本体からの映像や他の外部機器からの映像が表示デバイス２３で現在表示中であるか否かを判定する（ステップＳ１２）。
【００８７】
上述の想定では本体や他の外部機器からの映像が表示されているので、ステップＳ１２でＮＯとはならない。ステップＳ１２でＮＯの場合の処理は、図５のステップＳ７，Ｓ８と同様の処理後（ステップＳ２２，Ｓ２３）、画面終了コマンドの検出を待って（ステップＳ２４でＹＥＳ）、そのまま、すなわちレコーダ３からの映像を表示したまま処理を終了するとよい。なお、ステップＳ２４の後、図５での処理と同様に画面を元に戻してもよい。
【００８８】
上述の想定通りステップＳ１２でＹＥＳの場合、システム制御部２２が、サブ画面表示が現在なされているか否かを判定する（ステップＳ１３）。上述の想定では図６の上段の画面７０のようにサブ画面表示がなされているので、ステップＳ１３でＮＯとはならない。ステップＳ１３でＮＯの場合の処理は、図５のステップＳ３〜Ｓ６と同様の処理となる（ステップＳ１８〜Ｓ２１）。
【００８９】
上述の想定通りステップＳ１３でＹＥＳの場合、システム制御部２２が、サブ画面用の入力ソースの１つを画面開始コマンドの検出元機器（ここではレコーダ３）に切り換える（ステップＳ１４）。これに続き、システム制御部２２が、検出元機器の設定画面画像（ここではＥＰＧ画像７５）をサブ画面（追加サブ画面ではない）として多画面表示するよう画像処理部２０を制御する（ステップＳ１５）。
【００９０】
ステップＳ１５では、この制御により画像処理部２０が、ＴＶチューナ１８をメイン画面の入力ソースとしたまま、サブ画面の入力ソースを、現在表示中の映像７４のソース機器からＨＤＭＩ入力Ｉ／Ｆ１５（に接続されたレコーダ３）に切り換える。例えばメインで１画面、サブが２画面の場合など、切り換え対象となり得るサブ画面が複数表示されていた場合には、例えば割り当てる最後の領域のサブ画面に新たな画面（ここではレコーダ３からの予約処理画面）を表示するなどの基本的な考えに基づき、制御を行えばよい。
【００９１】
これにより、画像処理部２０は、図６の中段の画面７０で例示するように、現在表示中の映像７３をメイン画面、ＥＰＧ画像７５をサブ画面となるように合成し、デバイス駆動部２４へ出力して表示デバイス２３に表示させることになる。
【００９２】
このように、図６及び図７で例示する実施形態では、複数画面表示制御手段は、コマンド検出手段で画面開始コマンドを検出したとき、表示装置１の本体又は他の外部機器からの画像が元々サブ画面で表示されていた場合には、設定画面画像をサブ画面で追加表示する代わりに元々表示されたサブ画面で表示する制御を行う。本実施形態によれば、追加表示する代わりに、元々表示されているサブ画面に表示する制御を行うので、少なくとも一つの画面に表示されていた映像以外の映像はそのままの視聴状態を保つことができ、さらにむやみにサブ画面を追加して各画面の映像を小さくすることもなくなる。
【００９３】
次に、ステップＳ１５で画面表示を行った後の処理について説明する。まず、ユーザがＥＰＧから各種操作を行い、それに対応する処理が実行された後、ユーザは、最終的にＥＰＧ画像７５を閉じる操作（予約処理終了操作など）を行うことになる。レコーダ３は、この操作を検知して、画面開始コマンドの送信と同様に、画面終了コマンドをテレビ装置１に対して送信するようにする。テレビ装置１では、システム制御部２２がこの画面終了コマンドを検出する（ステップＳ１６）。なお、これらの処理は、ステップＳ１９の処理後のステップＳ２０、ステップＳ２３の処理後のステップＳ２４も同じである。
【００９４】
システム制御部２２が、この画面終了コマンドを検出した場合（ステップＳ１６でＹＥＳの場合）、画像処理部２０等に対して、ＥＰＧ画像７５を表示中のサブ画面を消して、他の映像（ここでは映像７３のみ）を表示する制御を行う（ステップＳ１７）。ステップＳ１７により、表示デバイス２３の画面７０は、ステップＳ１５での多画面表示（図６の中段の映像７３及び静止映像７５）から、図６の下段に例示したような拡大した映像７３ｇ（但し映像は時間経過によって変化している）へと表示が変わり、画面数も１つ減ることとなる。また、サブ画面自体を消す処理の代わりに、元のサブ画面に入力されていた入力ソースの表示に戻してもよい。
【００９５】
ここで例示したように、本発明の他の実施形態として、複数画面表示制御手段は、コマンド検出手段で画面終了コマンドを検出した場合、設定画面画像のサブ画面表示自体を終了する制御を行うとよい。これにより、ＥＰＧ画面表示等の設定画面画像表示を契機として、サブ画面で視聴中の映像を消すことが可能となる。
【００９６】
図８は、図１乃至図３のテレビ装置における表示画面の他の切換例を説明するための図で、図９は、図８の切換例を実現するための切換処理のうち録画リスト表示後の処理例を説明するためのフロー図である。図８の画面７０は、図１におけるテレビ装置１の表示デバイス２３の画面である。
【００９７】
まず、図６及び図７で説明した例と同様に、図８の画面７０に、図１のＴＶチューナ１８で受信した映像７３と他の外部機器からの映像（ＨＤＭＩ入力Ｉ／Ｆ１４、外部入力Ｉ／Ｆ１１〜１３から入力された映像）７４が２画面表示されている場面を想定する。但し、この例では、レコーダ３のリモコンによりレコーダ３が録画リスト画面を出力するユーザ操作がなされたとする。このようなユーザ操作としては、他の画面を出力中（但しテレビ装置１には映像未表示）に録画リストを表示するためのキーを押下する操作などが該当する。なお、このユーザ操作は、テレビ装置１のリモコンで実行可能としてもよい。
【００９８】
レコーダ３、テレビ装置１は、図６及び図７で説明した例と同様に、画面開始コマンド（ここでは録画リスト画面の開始コマンド）の送受を行い、図６の中段の画面７０と同様に、図８の中段の画面７０が表示される。ここで、中段の画面７０には、映像７３と録画リスト画像７６が表示されており、録画リスト画像７６には、レコーダ３に録画して蓄積されているコンテンツ７６ａの一覧がユーザ選択可能に含まれている。
【００９９】
但し、ここで説明する例では、録画リスト表示用キーの押下をトリガとして多画面表示するだけでなく、図４のごとき処理一覧画面の多画面表示を行ってから録画リスト表示用キーを押下する操作がなされて、図８の中段の画面７０が表示された場合にも適用できる。
【０１００】
録画リスト画像７６の表示後、ユーザが各種操作を行い、それに対応する処理が実行されるが、コンテンツ７６ａの再生の場合だけシステム制御部２２の処理が異なる。コンテンツ名の変更やコンテンツの編集・コピーなど、それ以外の処理の場合、ユーザは、最終的に録画リスト画像７６を閉じる操作を行うことになる。
【０１０１】
レコーダ３は、コンテンツ再生操作又は閉じる操作を検知して、画面開始コマンドの送信と同様に、画面終了コマンドをテレビ装置１に対して送信するようにする。但し、ここで送信する画面終了コマンドは、コンテンツ再生操作に対するものと閉じる操作に対するものとで、その内容を異ならしめる。
【０１０２】
テレビ装置１では、システム制御部２２がこの画面終了コマンドを検出し（ステップＳ３１でＹＥＳ）、そのコマンドが再生開始コマンドであるか否かを判定する（ステップＳ３２）。ステップＳ３２でＮＯの場合、システム制御部２２が画像処理部２０等に対して、図７の下段右側の画面７０のように元のサブ画面に入力されていた入力ソースの表示に戻す制御を行う（ステップＳ３４）。ステップＳ３２でＮＯの場合には、図７のステップＳ１７のような処理を実行してもよい。
【０１０３】
一方、ステップＳ３２でＹＥＳの場合、システム制御部２２が、画像処理部２０等に対して、録画リスト画像７６を表示出力中の入力ソースをメイン画面に、他の映像（ここでは映像７３のみ）をサブ画面に、それぞれ切り換えして表示する制御を行う（ステップＳ３３）。ステップＳ３３により、表示デバイス２３の画面７０は、図８の中段の映像７３及び静止映像７６）から、図８の下段左側の画面７０で例示したように、再生対象のコンテンツの映像７７をメイン画面として、映像７３（但し映像は時間経過によって変化している）をサブ画面とした表示がなされる。ここで、メイン画面が替わるので音声も切り換える必要がある。
【０１０４】
ここで例示したように、本発明の他の実施形態として、設定画面画像が録画リスト確認画面の画像であったとき、複数画面表示制御手段は、録画リスト確認画面の画面表示を終了し、その外部機器からの映像をメイン画面に表示する制御を行うことが好ましい。再生指示をユーザが行ったときにはそのコンテンツが一番視聴を希望するものであると考えられるので、本実施形態により、ユーザの希望に沿った画面表示を行うことが可能となる。また、ステップＳ３３の代わりに、再生対象コンテンツの映像７７のメイン画面のみを拡大して表示した画面にする制御を行ってもよい。
【０１０５】
また、ステップＳ３３の代わりに、録画リスト画像７６の入力ソースをそのままサブ画面で表示させるよう制御してもよい。この場合、コンテンツ再生中の画面は、図８の中段の画面７０において録画リスト画面７６を再生映像７７で置き換えたものとなる。このように、本発明の他の実施形態として、設定画面画像が録画リスト確認画面の画像であったとき、複数画面表示制御手段は、画面終了コマンドが映像表示開始を示すコマンドであった場合、録画リスト確認画面の表示画面にそのまま外部機器からの映像を表示（してサブ画面表示を続行）する制御を行うようにしてもよい。
【０１０６】
また、コンテンツの再生が終了した場合には、その画面を閉じたり元のサブ画面に戻したりしてもよいし、録画リスト画像７６の表示に戻して最終的に閉じる操作を待ってもよい。
【０１０７】
以上、図４乃至図９の説明において、ステップＳ２やステップＳ１２の判定に関連して、他の外部機器からの映像として、ＨＤＭＩ入力Ｉ／Ｆ１５以外の、ＨＤＭＩ入力Ｉ／Ｆ１４や外部入力Ｉ／Ｆ１１〜１３から入力された映像を考慮した。すなわち、上述の説明では、画面開始コマンドが送信されてきたＨＤＭＩ入力端子（該当するＨＤＭＩ入力端子）とは異なる入力端子で接続された他の外部機器のみを考慮している。
【０１０８】
しかしながら、画面開始コマンドを送出する機器（ここではレコーダ３）と同じＨＤＭＩ入力Ｉ／Ｆ１５から入力されたレコーダ４の映像が、現在表示デバイス２３で表示中であった場合も存在し、そのときの処理について説明する。
【０１０９】
このような場合には、テレビ装置１が、ＡＶアンプ２に対して映像の入力を切り換える指示をＣＥＣコマンドで送り、ＡＶアンプ２は指示に従って入力をレコーダ４からレコーダ３に切り換え、レコーダ３からの映像を出力するようにする。このように、テレビ装置１の入力を切り換える際には、その映像を消し、ステップＳ７，Ｓ８のごとき処理を実行すればよい。但し、このような処理では、入力を入れ換えるように切り換えるため、結局、画面数は増えずに視聴状態を保持することができない。これは、ＡＶアンプ２がセレクタ機能によって入力ラインを切り換え、結果的にレコーダ３，４のいずれかの映像のみがテレビ装置１側に伝送されることとなることを前提としたものである。すなわち、上述のＡＶアンプ２では、同じＨＤＭＩ入力端子から入力されることとなる、レコーダ３での再生映像とレコーダ４での再生映像とが、テレビ装置１で２画面表示することができないことを前提としたものである。
【０１１０】
他の方法として、テレビ装置１で１つのＨＤＭＩ入力端子から入力される映像を、１つのソースからに限らないようにするとよい。例えば、ＴＤＭＳライン６１に複数ソースの映像パケットが重畳させて送信する機能を、ＡＶアンプ２にもたせることで、同じＨＤＭＩ入力端子から入力される２以上の入力ソースに対しても同様に追加サブ画面表示等が可能となり、本発明に対応可能である。なお、このような方法を採用することで、１つのＨＤＭＩ入力端子から入力される、レコーダ３での再生映像とレコーダ４での再生映像とが、テレビ装置１で２画面表示することも可能となる。
【０１１１】
例えば、テレビ装置１に、複数画面のそれぞれに対するバッファをもたせておき、レコーダ３の映像が設定画面（すなわち静止画像）であることからレコーダ４の映像を時間的に多く入力とするような切り換え指示をＡＶアンプ２に送出させる機能をもたせるとよい。テレビ装置１が、設定画面に対してユーザ操作がなされたときだけＡＶアンプ２の入力をレコーダ３に切り換え、その他の場合にはレコーダ４にしておく制御を、ＣＥＣネットワークでＡＶアンプ２に対して行い、且つテレビ装置１にバッファをもたせることで、実現してもよい。
【０１１２】
他の方法として、ＡＶアンプ２にて映像を２画面に合成してテレビ１に出力する機能をもたせることでも対応できる。なお、この場合、テレビ装置１としてＡＶアンプ２から受信する映像はあくまで１画面の画像であるが、その１画面には２画面が含まれていることとなる。従って、テレビ装置１の複数画面表示制御手段は、ＡＶアンプ２がこのような機能をもつ機器であると認識すると、そのまま表示する処理を行えばよい。なお、このような方法を採用することでも、レコーダ３での再生映像とレコーダ４での再生映像とが、テレビ装置１で２画面表示することも可能となる。
【０１１３】
また、図４乃至図９の説明において、レコーダ３のリモコンでの操作をトリガとして、処理が始まるものとし、テレビ装置１のリモコンでの操作でも対応可能である旨を述べた。テレビ装置１のリモコンで操作可能に構成する他の方法として、そのリモコンに所定のショートカットキー（例えば図３のキー３５ａ）を設けておき、そのキーの押下を赤外線受光部２５を介してシステム制御部２２が検知すると、現在テレビ装置１に接続されている外部機器の一覧をＯＳＤ表示するようＯＳＤ処理部２０ａを制御するようにしてもよい。この一覧は、テレビ装置１に接続され設定画面画像が表示可能な画面概要一覧を指し、現在電源がオフになっていてもＣＥＣネットワークによりオン可能な機器もその一覧に含めるとよい。図２の構成例での一覧としては、図示しないが、レコーダ３，４及びプレーヤ５がＯＳＤ表示されることとなる。
【０１１４】
また、設定画面画像を予約処理を行う画像に限り、レコーダ３，４のみをＯＳＤ表示させるようにしてもよい。予約処理に限った場合で例示すると、一覧の中からユーザがテレビ装置１のリモコン操作（例えば図３の選択決定キー３５ｂの操作）によりレコーダ３を選択し、システム制御部２２が、ＣＥＣネットワークで選択されたレコーダ３に対し、予約設定画面の送付要求をＣＥＣコマンドで発するようにするとよい。そのコマンドを受信したレコーダ３は、画面開始コマンドを発し、以降、上述したような追加サブ画面等で予約設定画面を表示するとよい。
【０１１５】
また、本発明は、上述したように、各実施形態で説明した処理手順を含む複数画面表示制御方法や、その処理手順を実行するためのコンピュータ読み取り可能な複数画面表示制御プログラムやそれを含む表示プログラムとして実現してもよい。また、レコーダ等の外部機器側には、所定の操作に応じて画面開始コマンドや画面終了コマンドを発する制御プログラムを実行可能に組み込むとよい。表示装置や外部機器に組み込むためのこれらのプログラムは、上述したように、処理手順をＣＰＵ等の演算処理装置を含む制御部（制御コンピュータ）に実行させるためのプログラムで、上述した各手段として制御部を機能させるためのプログラムである。
【０１１６】
また、このようなプログラムは、コンピュータ読み取り可能な記録媒体に記録することで流通させたり、ネットワーク経由で配信して流通させるとよい。本発明の機能を実現するためのプログラムやデータを記憶した記録媒体としては、具体的には、各種のＣＤ，ＭＯ（光磁気ディスク），ＤＶＤ，ＦＤ，フラッシュメモリや、その他各種ＲＯＭやＲＡＭ等が想定できる。
【図面の簡単な説明】
【０１１７】
【図１】本発明の表示装置の一実施形態例を説明するためのブロック図である。
【図２】図１のテレビ装置を含む表示システムの構成例を示す概略図である。
【図３】図２のシステムのうち直列に繋がれた３つの機器の構成例を示す図である。
【図４】図１乃至図３のテレビ装置における表示画面の切換例を説明するための図である。
【図５】図４の切換例を実現するための切換処理の一例を説明するためのフロー図である。
【図６】図１乃至図３のテレビ装置における表示画面の他の切換例を説明するための図である。
【図７】図６の切換例を実現するための切換処理の一例を説明するためのフロー図である。
【図８】図１乃至図３のテレビ装置における表示画面の他の切換例を説明するための図である。
【図９】図８の切換例を実現するための切換処理のうち録画リスト表示後の処理例を説明するためのフロー図である。
【符号の説明】
【０１１８】
１…テレビ装置、２…ＡＶアンプ、３，４…レコーダ、５…プレーヤ、１１，１２，１３…外部入力Ｉ／Ｆ、１４，１５…ＨＤＭＩ入力Ｉ／Ｆ、１６…ビデオデコーダ、１７…デマルチプレクサ、１８…ＴＶチューナ、１９…フレームメモリ、２０…画像処理部、２０ａ…ＯＳＤ処理部、２１…バス調停部、２２…システム制御部、２２ａ…ＣＰＵ、２２ｂ…ＲＯＭ、２２ｃ…ＲＡＭ、２２ｄ…ＥＥＰＲＯＭ、２３…表示デバイス、２４…デバイス駆動部、２５，３４，５５…赤外線受光部、３０…表示装置、３１，４３，５２…ＨＯＳＴ ＣＰＵ、３２…モニターマイコン、３３，４５，５４…ＣＥＣ Ｉ／Ｆ、４０…リピータ機器、４１…ＨＤＭＩレシーバ、４２，５１…ＨＤＭＩトランスミッタ、４４，５３…フロントマイコン、５０…出力装置、６１…ＴＭＤＳライン、６２…ＣＥＣライン。
【図１】
2008109342.tif 000003
【図２】
2008109342.tif 000004
【図３】
2008109342.tif 000005
【図４】
2008109342.tif 000006
【図５】
2008109342.tif 000007
【図６】
2008109342.tif 000008
【図７】
2008109342.tif 000009
【図８】
2008109342.tif 000010
【図９】
2008109342.tif 000011